(57)【要約】     【課題】  本発明は、パック用シートの、含浸されている領域から液剤が切り欠き孔の、少なくとも領域の一部に液剤が移り、液剤が切り欠き孔の切り欠き側に入ることを防止するパック用シートを提供する。    【解決手段】  パック用シートは、液剤が浸入することを防ぐための、融合領域の返し部を有し、返し部が、顔に面する反対側に曲げられて位置させられる、少なくとも液剤を有する領域方向に向かう角度を有し、切り欠き孔に前記液剤が浸入させないことを特長とするパック用シート。【選択図】図４
2019025099.tif 000002
【特許請求の範囲】
【請求項１】
不織布シートが打ち抜かれ、密閉された包装体内に液剤と共に折り畳まれ、顔面の少なくとも一部を覆うことができるパック用シートの、前記顔面の両眼部、鼻部、口部及び左右双方の耳部のうち少なくとも１つに欠き孔を有するパック用シートであって、
前記切り欠き孔に返し部を有し、前記返し部は、前記切り欠き孔の全周周縁に連続して繋がり、熱シール又は立体成型により融合された曲がり部と端部を有し、前記端部が、肌と反対側に位置して前記液剤の有する方向に前記曲がり部が角度を有することを特長とするパック用シート。
【請求項２】
前記曲がり部は、前記融合領域の厚みと対比し、薄く加工されてなる請求項１に記載のパック用シート。
【請求項３】
前記返し部の前記端部が、膨らみ部を有する請求項1に記載のパック用シート。
【請求項４】
前記返し部と繋がる前記切り欠き孔の全周周縁が熱シールの融合領域又は立体成型の樹脂やゴムを有する請求項１に記載のパック用シート。
【請求項５】
前記不織布シートは、自然繊維に化学繊維、軟質素材、自然素材が絡ませられる請求項１に記載のパック用シート。
【請求項６】
前記顔面の１つ以上の凹部又は凸部に対向する前記シート体に、鼻筋に沿って縦方向もしくはやや斜め方向又は弧を描くミシン目状の切り込み線を複数列有する請求項１に記載のパック用シート。
【発明の詳細な説明】
【技術分野】
【０００１】
本発明は、切り欠き孔に融合の返し部を有するパック用シートに関する。
【背景技術】
【０００２】
従来品に、不織布シートで構成され、化粧用の薬液を含浸させて、顔面を覆い貼り付けるフェイスマスクがある。
【０００３】
加えて、不織布で構成された左右双方の耳部に掛け止められる切り欠き孔を有するフェイスマスクがある。
【０００４】
しかしながら以下の先行技術に、本願発明が開示する返し部が記述されていない。
【０００５】
特開２００６−２２４９７４号公報のシールは、段落［００２２］に「 縦シール部〜剥離可能にシールされている。なお、各シール部は易剥離接着された発明であり、本願発明の返し部の発明の記述がなされていない。
【０００６】
特表２０１６−５１２４５６号公報は、融合の部分を有し、図１から図１４の、顔の、左の耳部から、鼻下と顎部の幅を有し、口部を経て、右の耳至る領域に対向するフェイスマスク（１０、１５０、１６０）であり、請求項１に第１の圧力を印加する、第２の圧力を印加するフェイスマスクである。加えて、図８から図１１は、左右双方の耳部端部の切り欠き孔及び切り欠き孔近傍には融合された部分（１６２）を有している。しかしこれらには、本願発明の、返し部の発明の記述がなされていない。
【０００７】
特開２００９−３９１６９号公報の、段落００３２に液密性と剥離性を保持する幅を有し、加熱時間をシール性と剥離性を有する、〜程度でよく、段落００３４に接着強度が段落００３２と００３３の範囲であれば、液密にシールできて、且つ使用時に剥離が容易な発明がある。しかしこれらには、本願発明の返し部の発明の記述がなされていない。
【０００８】
特開２０１１−１３６０７２号公報の、段落［００１７］に「顔の左側部及び右側部をそれぞれ被覆する２枚のシート材２及び３を非肌当接面同士が対向するように重ね合わせ、 接合手段としては熱圧着が好ましく、〜接合部から化粧料が潤沢に供給され、化粧料の効果的な肌への浸透が可能となる。〜」と美容液を溜める機能を有する。しかしこれらには、本願発明の返し部の発明の記述がなされていない。
【０００９】
特開２０１３―２２０２８６号公報の溝部、［図２、３、５］の「溝部に液剤を吸収して溜める」と［請求項１］に「〜液保持性の吸収体を備えた縦長の吸収性本体を有する吸収性物品であって、着色された撥水性のインクが塗布されて形成されたインク塗布部を有し、〜吸収性物品。」が記述された発明がある。しかしこれらには、本願発明の返し部の発明の記述がなされていない。
【００１０】
フェイスマスクには、両眼や口に対抗する部分には切り欠き孔や鼻部に対向する部分は切り欠き線を設ける。
【００１１】
左右双方の縁部に左右双方の耳部に掛け止めるための切り欠き線を有する端部を設けて、これらシート体は刃型で打ち抜くことによって形成されて、シート体には美容液の含浸や美容効果が得られる原料を含ませられ構成される。
【先行技術文献】
【特許文献】
【００１２】
【特許文献１】特開２００６−２２４９７４号公報
【特許文献２】特表２０１６―５１２４５６号公報
【特許文献３】特開２００９−０３９１６９号公報
【特許文献４】特開２０１１−１３６０７２号公報
【特許文献５】特開２０１３―２２０２８６号公報
【発明の概要】
【発明が解決しようとする課題】
【００１３】
パック用シートの両眼部、鼻部、口部、左右耳部に設けられた切り欠き孔の全周周縁に融着領域があっても含侵された液剤が流れて入るので、切り欠き孔の両眼、鼻、口、左右耳に入らないように返し部を設けたパック用シートを提供する。
【課題を解決するための手段】
【００１４】
不織布シートが打ち抜かれ、密閉された包装体内に液剤と共に折り畳まれ、顔面の少なくとも一部を覆うことができるパック用シートの、顔面の両眼部、鼻部、口部及び左右双方の耳部のうち少なくとも１つに欠き孔を有するパック用シートであって、
切り欠き孔に返し部を有し、返し部は、切り欠き孔の全周周縁に連続して繋がり、熱シール又は立体成型により融合された曲がり部と端部を有し、端部が、肌と反対側に位置して液剤の有する方向に曲がり部が角度を有することを特長とするパック用シート。
【発明の効果】
【００１５】
本願発明の返し部は、パック用シートの液剤が、切り欠き孔の内側に液剤が垂れて、目、鼻、口及び耳のいずれかの切り欠き孔の内側に液剤が垂れ入ることを止めるパック用シートである。
【００１６】
更に、切り欠き孔の全周周縁に連続して融合領域が設けられることで、融合領域近傍に対向する肌や毛髪を液剤で汚さない。洗髪後や洗顔後においても気軽にパック用法が行える。
【図面の簡単な説明】
【００１７】
【図１】パック用シートの平面図
【図２】図１の左右双方に耳掛部を有する平面図
【図３】図２が貼り付けられた説明図
【図４】返し部の説明図
【図５】返し部の断面図
【図６】パック用シートを打ち抜く説明図
【発明を実施するための形態】
【００１８】
本願発明は、不織布シートの、図１と２及び３の、顔面の少なくとも一部を覆い貼り付けるパック用シートの、図４及び５の、顔の両眼部、鼻部、口部及び両耳部のいずれかに備える切り欠き線又は切り欠き孔（以下、「切り欠き孔」という。）に、含浸領域の液剤が切り欠き孔の内側に侵入することを止める立体の融合された返し部（以下、「返し部」という。）が設けられている。
【００１９】
不織布シートの構成は、切り欠き孔の内側に液剤が浸入することを防止できる構造が設けられれば良く、自然繊維、化学繊維、ゴム系の素材が熱シール又は立体成型の製法により、任意に選択できる。
【００２０】
不織布シートは、熱シールの治具によって、化学繊維が熱シールで融合されて、自然繊維と化学繊維の融合とが絡み、或は、化学繊維とゴム系等が熱シールで融合され自然繊維と絡み、肌への硬さを解消させる柔らかな感触が体感させる融合の領域が形成され、液剤を寄せ付けない効果が得られる。
【００２１】
返し部符号１３の全周周縁は、不織布シートに設けられた切り欠き孔の全周周縁の形状に同じであり、融合された曲がり部と返し部の端部から構成されている。切り欠き孔の全周周縁の好ましくは、融合領域符号１２が帯状に連続して繋げられた形状が好ましい。
【００２２】
パック用シート符号１に有する返し部は、両眼部符号３、鼻部符号４、口部符号５及び両耳部符号９の１つ以上に設けられ、含浸領域符号２３に有する液剤が切り欠き孔符号１４の内側符号１５に移行し、返し部が設けられた眼、鼻、口及び耳に液剤の侵入が止められる。
【００２３】
加えて、返し部符号１３が、切り欠き孔の全周周縁を帯状に繋がる融合領域符号１２に連続して設けられる切り欠き孔符号１４であると、液剤を寄せ付けない効果と液剤が止められる効果が得られる。
【００２４】
更に、パック用シートに設けられる返し部は、肌に面する反対側の位置に有し、曲がりの部符号１６を経て返し部の端部符号２１に至る立ち上がりの角度が、含浸領域の方向に向かう角度を有し、好ましくは９０度以上の形状を有していることが望ましい。
【００２５】
或は、図４の返し部の端部符号２１に設けられる形状に、液剤の含浸された領域の方向に向かう端部の膨らみ等（以下、「端部の膨らみ」という。）符号１７が加えられると含浸領域からの液剤が止められる機能がより付加される。
【００２６】
端部の膨らみは、端部に有し、曲がり部から立ち上がる壁の厚みよりも両側にはみ出た厚みを有している。返し部がリバースされても端部の膨らみは、液剤の含浸された領域の方向に向かっており、含浸領域からの液剤が止められる。
【００２７】
更には、反対側に反転されても、膨らみが液剤の含浸領域符号２３の方向に向かい設けられることが、例えば、不織布シートを打ち抜く際に同時に加工の立体成型などの技術により成形されることが望ましい。樹脂又はゴム系、例えば、肌に接して柔らかさを体感させるエラストマー等が加えられる立体成型加工が好ましい。
【００２８】
本願発明の融合は、不織布シートが構成される自然繊維と化学繊維、自然繊維と化学繊維とゴム系が、熱シールにより化学繊維、ゴム系が溶けて自然繊維と絡み合った状態であり、面積を有することで融合領域が設けられる。
【００２９】
パック用シートが、顔に貼り付けられた際、液剤の侵入が止められる効果を得る返し部の端部符号２１は、肌と面する反対側の位置に有し、含浸領域の液剤の侵入が止められる貼り付け用法を能書に加えられることが好ましい。
【００３０】
顔に貼り付ける際、返し部の端部が肌に面すると液剤の侵入が止めらないから、返し部の端部を反対側（逆側の面）に反転させると、返し部の端部が肌に面する側と反対側（逆側の面）に位置されて、返し部の端部符号２１が含侵領域に向かい立ち上がり、液剤の侵入が止められる。
【００３１】
返し部の端部が、逆側の面に反転させられ、容易に曲げられて位置させられる曲がり部符号１６の厚みは、近傍の融合領域の厚みに対比して薄く加工される構造が好ましく、指の腹などで馴染ませると、返し部が反対側の面にスムーズに位置させられる。
【００３２】
貼り付ける際、用法の説明に、返し部の先端部が肌に接し面する側に位置した場合、角度を有する返し部を指で撫でると容易に両面のいずれかに位置させるから、包装体に反転できること、パック用シートの表裏を問わないことを付記するとよい。
【００３３】
加えて、貼り付けられる用法に、曲がり部が融合領域に対比して薄く加工されることにより、指の腹などで撫でて馴染ませることで、返し部が反対側の面に位置させられる発明はパック用シートの表裏を問うことがない。薄く加工する領域は、一部又は全体の任意の領域である。
【００３４】
返し部の端部をいずれかの面に反転され曲げられてスムーズに位置させる曲がり部の構造は、肌に面して返しの曲げられる領域の一部又は全域が、熱シール治具、立体成型に融合加工されて、周囲の厚みよりも薄く加工されるとよい。
【００３５】
切り欠き孔に備えられた全周周縁に繋がる融合領域の、曲がりの角度を有する曲がり部符号１６は、全周周縁の一部又は全域が薄く加工される有利は、貼り付けられる際、先端部が肌に面していても、指の腹でなぞることで、容易に逆の面に反転させられる。
【００３６】
切り欠き孔の周縁全周に連続して有する返し部の、曲がる角度を有する曲がり部の融合領域を薄くする加工する有利は、熱を有する治具、立体成型により、融合領域の表の面や裏の面のいずれかに任意で行われ、反転時に抵抗が弱い構造を有することが望まれる。
【００３７】
不織布シートは、熱シールの融合工程が可能であり、切り欠き孔と返し部に融合領域が設けられている。構成される軟質の化学繊維やゴム系等は、肌への刺激を軽減し接触がソフトであり、逆側の面に容易に反転し、位置させることができる。
【００３８】
本願発明の返し部の形状及び形態は、密閉された包装体の中で液剤に含浸される状態で、薬事の有効期間３ヶ年以上において保持されることが望ましい。
【００３９】
両眼部に設ける蓋状のフラップなる形状にも本願発明が適用される。
【００４０】
既製品は、液剤が浸入する不愉快な事例を防ぐための、従来品の裏面等の能書に、例えば、使用の注意事項として、眼の中や鼻の孔や口の中や耳の中に液剤が浸入した場合の不愉快な思いの対処方法の例を示している。
【００４１】
例えば、なまぬるいお湯などですぐに洗い流す。専門医に相談をする等が記載されている。
【００４２】
本願発明の返し部を有し、少なくとも顔の一部を覆うことができるシート体を構成する任意の要素は、シート体に輪郭線符号８を設け、額部符号２を設け、両眼に対向する切り欠き孔を設ける。
【００４３】
呼吸の鼻の穴部には少なくとも１つの穴部やＵ字型の切り欠き線を設け、左右双方の鼻翼から鼻尖を経て鼻翼を結ぶ直線又は鼻部下端の曲線に沿った切り欠き線を設け、口部には少なくとも１つの切り欠きの楕円孔や１つ以上の小孔や多角の穴を設ける。
【００４４】
更に、右の縁部符号１０と左の縁部符号１１に、1組以上の左右双方の耳に掛け止めるための切り欠き孔が備えられた端部を設け、左右双方に掛け止めることで、ほうれい線や左右の垂れた顎部やほほ部を引き上げて、更に固定するとより一層の美容効果が得られる。
【００４５】
パック用シートの構成は、１枚の不織布シートで構成される。又は１枚以上の不織布シートが重ねられて又は繋ぎ融合されることにより形成される。
【００４６】
パック用シートは、熱シールの治具や溶断や立体成型や刃型等で形成される。
【００４７】
不織布シートは、自然繊維（コットン、リヨセル、パルプ等）、化学繊維（ポリエチレン、ポリエステルフタレート、ポリプロピレン等）、軟質素材（ゴム系等）、自然素材（木炭粉末等）が任意に絡ませられる。例えば、不織布シートの目付１０〜１２０（ｇ／ｍｍ２）を選択するとよい。
【００４８】
切り欠き孔の全周周縁に熱による溶着領域を設けるための不織布シートは、自然繊維に化学繊維の繊維を有する。切り欠き孔の全周周縁に溶着領域又は溶着領域と立体成型又は立体成型のいずれかが設けられる不織布シートは、自然繊維単体又は自然繊維と化学繊維又は自然繊維と化学繊維とゴム系素材が絡み合うシートである。
【００４９】
立体成型による溶着領域や返し部の加工方法の不織布シートは、切り欠き孔に溶融された樹脂やゴム等が射出し、繊維に圧が加えられ絡ませ付着させて成型するから、特に自然繊維に化学繊維、ゴム系素材が含むことが限定されるものではない。
【００５０】
液剤は、薬剤と薬剤以外をいう。薬剤は、化粧品、医薬部外品、医薬品の効能効果が得られる、液状、クリーム状、パウダー状、ペースト状等である。
【００５１】
薬剤以外は、例えば、「冷感（体温、かぜ熱を下げる）：小麦粉＋水」、「温感、発汗（体温を上げる）：唐辛＋小麦粉＋水」、「美容（野菜）パック：キュウリのスライスパック」、「泥（クレイ）：泥パック」「炭の粉：皮脂や汚れや古い角質の吸着や臭いの吸着パック」等であり、薬事の範囲外の原料である。
【００５２】
本願発明のパック用シートと液剤との封入は、例えば、バリアを有する袋、チャック機能を有する袋、フラップなる蓋を有する袋や樹脂容器等（以下、包装体という）に封入されるとよい。パック用シートはドライの状態で包装体に封入されてもよい。
【００５３】
返し部の有利は、パック用シートに、含浸された液剤が切り欠き孔の内側に侵入することを止め、両眼や口や鼻や両耳の中に液剤が浸入することが防がれるので、安心して貼り付けることができる。
【００５４】
本願発明の返し部は、従来品が解決できなかった、含浸された領域から、切り欠かれた孔の領域に液剤が垂れて浸入することが阻止されて、切り欠き孔の周縁全周に融合領域が併せると液剤が寄せ付けられず、液剤で切り欠き孔近傍に面する肌や毛髪が汚されることが防止される。
【００５５】
汚れに伴う不快感を有する従来品と対比する本願発明は、特に耳に掛け止める機能のパック用シートを貼り付ける際、切り欠き孔の全周周縁に返し部が有ると、切り欠き孔への液剤の侵入が阻止されて、更に、切り欠き孔の周縁全周が融合された融合領域を有していることにより液剤が寄せ付けられないから、双方耳部の肌や近傍の毛髪が液剤で汚されない。
【００５６】
医療目的の、例えば、治癒シートや湿布シート等の形態や技術は、本発明の形態や技術に準ずるとよい。
【００５７】
不織布シートの機械方向と鼻筋縦方向を合わせて、縦に伸びず、横幅方向に広がる特性を利用し、顔や首の領域の、少なくとも１つの凹部又は凸部に対向し、顔面の鼻筋に沿って縦方向もしくは、斜め方向や弓状のミシン目状の切り込み線を複数列設けるとフィットとリフトアップと矯正が得られる。
【００５８】
不織布シートの特性とミシン目状の切込み線複数列は、双方の特長が相俟って、顔の横幅の方向に延び広がらせてよりフィットさせて覆い貼り付けることができる。切込み線は、連続であっても不連続であってもよく、長さを問わず任意である。
【００５９】
本願発明に加えて、本願発明の出願人が既に出願した特許第４３５２４１６号公報の技術と併せることでより使用性が増すので何ら問題としない。
【実施例】
【００６０】
本願発明の、液剤の侵入を防止する返し部を有するパック用シートの実施例は、顔の両眼部、鼻部、口部及び両耳部の１つ以上に設けられ、１つ以上の切り欠き孔に有する返し部の先端が、貼り付けられる肌の面と反対の逆側の面に位置することが必要である。
【００６１】
密閉された袋から、液剤を有して折り畳まれたパック用シートを平面体に広げ、１つ以上の切り欠き孔に連続して繋がる返し部の先端が、貼り付けられる、肌の面と反対側の逆の面に位置していることを確認する。
【００６２】
返し部の先端が、貼り付けられる肌に面し、肌の面の側に位置している場合、液剤が切り欠き孔の中に浸入するから、指で逆側に押し反転させて、或は、指の腹や掌で撫でることで逆の面に反転させて、返し部の先端を肌の面の反対側の逆の面に位置させる。
【００６３】
貼り付ける手順は、額の上部に設けられたつまみ部を左右の指で摘まみ、額の上部の左右に、左のつまみと右のつまみを額の上部に誘導して貼り付けて、両眼部、鼻部、口部の順に貼り付け、口部の左右近傍に設けられた切り残し部符号７をちぎり、任意であるが、左右双方の上片を貼り付け、左右双方の片を引き上げて貼り付ける。
【００６４】
切り残し部をちぎると切込み線符号６の両片が設けられ、貼り付けられる個々の顔の周囲（フェイスライン）の距離に合わせて、個々の顔のサイズに沿って貼り付けられ、片を引っ張り上げることでフェイスラインの皮膚組織や表情筋に刺激が与えられ、リンパ液が好生成され、表情筋にも刺激が与えられ美容の効果が得られる。
【００６５】
左右双方の耳部に掛け止めるための端部の切り欠き孔に返し部を有するパック用シートは、上述と同じく、左右双方の切り欠き孔に有する返し部の先端が肌の面の反対側の面に位置させる作業を行うことが必要である。
【００６６】
貼り付けられる状態に作業を行い、右の端部を右の耳に掛け止めて、左の端部を左の耳に掛け止める。切り欠き孔の周縁全周が融合領域によって液剤を寄せ付けず近傍の領域の肌や髪の毛は液剤で汚れない、更に、返し部の機能により耳部に液剤が入らない。
【００６７】
液剤が多めに充填されている場合など、融合領域に有する自然繊維に液剤が付着している状態は、指先やテッシュ等で液剤を拭き取ることがよい。
【００６８】
貼りつける時間は凡そ１５分程度が目安であり、包装体に記載された用法に準ずる。
【符号の説明】
【００６９】
１    パック用シート
２    額
３    両眼部
４    鼻部
５    口部
６    切込み線
７    切り残し部
８    輪郭線
９    耳部
１０    右の縁部
１１    左の縁部
１２    融合領域
１３    返し部
１４    切り欠き孔
１５    切り欠き孔内側
１６    曲がり部
１７    端部の膨らみ
１８    不織布ロール
１９    引っ張る縦方向
２０    横幅方向
２１    返し部の端部
２２    つまみ部
２３    含浸領域
【図１】
2019025099.tif 000003
【図２】
2019025099.tif 000004
【図３】
2019025099.tif 000005
【図４】
2019025099.tif 000006
【図５】
2019025099.tif 000007
【図６】
2019025099.tif 000008
【手続補正書】
【提出日】平成29年11月28日(2017.11.28)
【手続補正１】
【補正対象書類名】特許請求の範囲
【補正対象項目名】全文
【補正方法】変更
【補正の内容】
【特許請求の範囲】
【請求項１】
不織布シートが打ち抜かれ、密閉された包装体内に液剤と共に折り畳まれ、顔面の少なくとも一部を覆うことができるパック用シートの、前記顔面の両眼部、鼻部、口部、左右双方の耳部のうち少なくとも１つに切り欠き孔を有するパック用シートであって、
前記切り欠き孔に返し部を有し、前記返し部は、前記切り欠き孔の全周周縁に連続して繋がり、熱シール又は立体成型により融合された曲がり部と端部を有し、前記端部が、肌と反対側に位置して前記液剤の有する方向に前記曲がり部が角度を有することを特長とするパック用シート。
【請求項２】
前記曲がり部は、前記端部との厚みと対比し、薄く加工されてなる請求項１に記載のパック用シート。
【請求項３】
前記返し部の前記端部が、膨らみ部を有する請求項1に記載のパック用シート。
【請求項４】
前記返し部と繋がる前記切り欠き孔の全周周縁が熱シールの融合領域又は立体成型の樹脂やゴムを有する請求項１に記載のパック用シート。
【請求項５】
前記不織布シートは、自然繊維に化学繊維、軟質素材、自然素材が絡ませられる請求項１に記載のパック用シート。
【請求項６】
前記顔面の１つ以上の凹部又は凸部に対向する前記シート体に、鼻筋に沿って縦方向もしくはやや斜め方向又は弧を描くミシン目状の切り込み線を複数列有する請求項１に記載のパック用シート。